(57)【特許請求の範囲】
【請求項１】
上面部と下面部とこれらに順次編み込まれることにより前記上面部及び前記下面部を連結する連結糸とからなる立体構造経編地であって、
前記上面部と前記下面部の少なくとも一方が開口部を有する編組織からなるネット組織であり、
前記連結糸のニードルループが、上、下面部のいずれか一方側に膨出して膨出部が形成され、
該膨出部が形成された前記上面部又は前記下面部の地組織を形成するすべての編成糸のオーバーラップの方向と連結糸のオーバーラップの方向とが逆方向に編成されており、且つ
前記膨出部が起毛されていることを特徴とする起毛立体経編地。
【請求項２】
上面部と下面部ともにネット組織であることを特徴とする請求項１記載の起毛立体経編地。
【請求項３】
一方がネット組織で他方が無地組織であることを特徴とする請求項１記載の起毛立体経編地。
【請求項４】
前記開口部が１〜２０ｍｍであることを特徴とする請求項１記載の起毛立体経編地。
【請求項５】
上面部と下面部、並びにこれらを連結する連結糸とからなる立体構造経編地を編成するに際し、前記上面部と前記下面部の少なくとも一方を、開口部を有する編組織からなるネット組織とし、前記上面部と前記下面部のいずれか一方の地組織を形成するすべての編成糸のオーバーラップをすべて同一方向に編成し、該方向と逆方向に、連結糸のオーバーラップを合わせて編成し、連結糸を前記いずれか一方の地組織上に膨出させて膨出部を形成し、該膨出部を起毛することを特徴とする起毛立体経編地の編成方法。
【発明の詳細な説明】
【０００１】
【発明の属する技術分野】
本発明は、主にインテリア資材、寝装品、及び車両用内装材に適した起毛立体経編地に関し、更に詳しくは、２列針床経編機によって編成され、上面部と下面部、並びにこれらを連結する連結糸とで形成されている起毛立体経編地に関するものである。
【０００２】
【従来の技術】
上面部と下面部、並びにこれらを連結する連結糸とからなる立体構造経編地に起毛を施して得られる起毛立体経編地に関しては種々の提案がなされている。
例えば、（例１）特開平７−３３１５６７号（住江織物株式会社）には、地組織を構成する振り糸を余分に送り込んでループを表出させ、これを起毛して得られる多層構造織編物の開示がある。
また、（例２）ＷＯ９５／１２０１９号（日本マイヤー株式会社）には、地組織部の地糸ニードルループを外側に膨出させて編成した立体構造経編地を起毛する手段が示されている。
更に、（例３）特許第２９０４５４８号（松岡織物株式会社・旭化成工業株式会社）には、少なくとも上、下面部の一方にパイルが形成されており、かつ連結糸が６０％以上の水膨潤度を有する立体構造経編地について示されており、この連結糸を起毛してパイルを形成する技術の開示がある。
【０００３】
【発明が解決しようとする課題】
上記従来技術の特徴は、地組織部Ｇを起毛する手段と、連結糸Ｒの物性を利用して連結糸Ｒを表出させこれを起毛する手段にある。
前者においては、地組織部Ｇが編地本体の機能と起毛部の両機能を果たさなければならず種々の問題を有する。
つまり、地組織部Ｇを形成している糸を切断して起毛部Ｐを形成する為、強度が低下する問題、時には起毛の際、地組織部Ｇ以外に連結糸Ｒをも引き出してしまい、起毛ムラを発生させ目面を悪くし風合いを損ねる問題等が上げられる。
【０００４】
更には、２系列の編成糸Ｋで地組織部Ｇを形成して、一方のニードルループを他方より緩く編んでこれを表出させて起毛する手段があるが、これらの手段はその編成技術面において緻密な管理技術を要し、常に均一な起毛立体経編地ＫＤを提供することが困難な問題がある。
【０００５】
これに対し、連結糸Ｒを起毛する手段においては、連結糸Ｒのみを起毛し得る確実な手段は存在しないのが現状である。上記のような連結糸Ｒの物性差を利用して連結糸Ｒを表出させる手段は、立体構造経編地Ｄの堅固な構造により、常に均一に連結糸Ｒを表出させることは困難であり、起毛斑発生の要因となる。
【０００６】
また、他の問題として、編地表面を起毛する際、糸を引き上げる力がはたらくことにより、編地全体に皺が発生して凹凸を生じ、起毛斑の要因となる問題がある。
そして、起毛立体経編地ＫＤ自体が、起毛部Ｐの糸が絡み合い通気性を妨げると言う本質的問題も擁している。
このように従来技術においては解決すべき多くの問題があった。
本発明は、強度の低下もなく、厚みが均一で起毛斑がなく、しかも通気性に優れた起毛立体経編地ＫＤを確実に提供するための手段を提供することを目的とする。
【０００７】
【問題を解決するための手段】
上記問題点を解決するために本発明においては、上面部ＦＤと下面部ＢＤ、並びにこれを連結する連結糸Ｒとで構成される立体構造経編地Ｄにおいて、上面部（すわなち上面の地組織）ＦＤと下面部（すわなち下面の地組織）ＢＤの両方、或いは、いずれか一方をネット組織として、上面部ＦＤ、下面部ＢＤのいずれか一方側に連結糸Ｒを膨出させて編成し、これを起毛して起毛立体経編地ＫＤを得る手段を採用した。
【０００８】
即ち、本発明は、（１）、上面部と下面部とこれらに順次編み込まれることにより上面部及び下面部を連結する連結糸とからなる立体構造経編地であって、上面部と下面部の少なくとも一方が開口部を有する編組織からなるネット組織であり、連結糸のニードルループが、上、下面部のいずれか一方側に膨出して膨出部が形成され、該膨出部が形成された上面部又は下面部の地組織を形成するすべての編成糸のオーバーラップの方向と連結糸のオーバーラップの方向とが逆方向に編成されており、且つ膨出部が起毛されている起毛立体経編地に存する。
【０００９】
そして、（２）、上面部と下面部ともにネット組織である起毛立体経編地に存する。
【００１０】
そしてまた、（３）、一方がネット組織で他方が無地組織である起毛立体経編地に存する。
【００１２】
そしてまた、（４）、開口部が１〜２０ｍｍである起毛立体経編地に存する。
【００１３】
そしてまた、（５）、上面部と下面部、並びにこれらを連結する連結糸とからなる立体構造経編地を編成するに際し、上面部と下面部の少なくとも一方を、開口部を有する編組織からなるネット組織とし、上面部と下面部のいずれか一方の地組織を形成するすべての編成糸のオーバーラップをすべて同一方向に編成し、該方向と逆方向に、連結糸のオーバーラップを合わせて編成し、連結糸を前記いずれか一方の地組織上に膨出させて膨出部を形成し、該膨出部を起毛する起毛立体経編地の編成方法に存する。
【００１４】
【発明の実施の形態】
本発明に係る実施の形態を図面に基づき説明する。立体構造経編地Ｄは、図１（Ａ）に示すように、２列針床からなるダブル・ラッシェル機Ｗを用いて得られる。地糸Ｇ１１，Ｇ１２はそれぞれガイドＬ１，Ｌ２に導糸され、フロントニードルＦＮにより上面部ＦＤを形成する。地糸Ｇ２１，Ｇ２２はガイドＬ４，Ｌ５に導糸され、バックニードルＢＮにより下面部ＢＤが形成される。連結糸Ｒは、ガイドＬ３により、フロントニードルＦＮ、バックニードルＢＮに案内編成されてフロント地ＦＤとバック地ＢＤに順次編込まれ、２者を連結する連結部ＡＲを形成する。このように形成された立体構造経編地Ｄを起毛して、起毛立体経編地ＫＤを得る。
【００１５】
ここで、起毛する方法として、例えば、針布を使った針布起毛加工あるいはサンドペーパーによるバフ起毛加工（別名、エメリー起毛加工）により立毛化させる方法がある。針布起毛加工の場合、針布の密度、長さ、角度、先端形状等に加え、回転数、立体編物との接圧、接触回数の諸条件を選択することにより、立毛化の状態が自由に設定できる。同様に、バフ起毛工程の場合も、ペーパーメッシュ、粗さ、接触回数の諸条件を選択することにより、立毛化の状態が自由に設定できる。また、起毛後に毛足を整えるためにシャーリング加工を施すことが選択的に行われる。
【００１６】
以下、本実施の形態を図２に示す組織図に従い説明する。
上面部ＦＤをガイドＬ１によるコード組織と、ガイドＬ２によるデンビー組織とで無地組織に形成する（ここで、無地組織とは開口部のない編組織をいう）。
そして、下面部ＢＤをガイドＬ４，Ｌ５によりネット組織で形成する（ここで、ネット組織とは規則的な開口部を有する編組織をいう）。
また、ガイドＬ３により連結糸Ｒを制御し連結部ＡＲを形成する。
この組織により、図３に、その断面図を示すように、下面部ＢＤのネット組織上に連結糸Ｒが膨出し、膨出部Ｂが形成される。
膨出部Ｂは起毛され起毛部Ｐを形成する。
【００１７】
連結糸Ｒの膨出に関しては、下面部ＢＤを形成するすべての系列の編成糸Ｇ２１，２２のオーバーラップをすべて同一方向に編成し、該方向と逆方向に、連結糸Ｒのオーバーラップを行うことにより、編成原理上、連結糸Ｒが下面部ＢＤのネット組織上に膨出して膨出部が形成される。
また、連結糸Ｒは、上面部ＦＤを形成する１系列の編成糸Ｇ１１のオーバーラップとは同一方向にオーバーラップさせることにより、上面部ＦＤの表面に膨出することはない。
【００１８】
ここにオーバーラップとは、図１（Ｂ）に示すように、ニードルループを形成するためにニードルＮに編成糸Ｋを掛け渡すこと言う。右回りＲＴと左回りＬＴのオーバーラップがある。
【００１９】
図３にもどり、膨出した連結糸Ｒは起毛作用により、上方への引張力ＵＴが働くため、地組織部Ｇのニードルループには収縮力ＳＴが働く。
この平面内のサイド方向への収縮力ＳＴは、図４に示すように、その両面が無地組織である場合には逃げ場を失い、地組織部Ｇに凹凸を発生させ、これが皺となり結果的に起毛斑となる。
これに対し、本実施の形態における起毛側の下面部ＢＤがネット組織である場合には、開口部Ｈがこの収縮力ＳＴを吸収し、皺を発生させない。
また、このネット組織の開口部Ｈは、起毛されて通気性の低下を来す起毛立体経編地ＫＤの通気性を向上させる作用もする。
【００２０】
この時、開口部の大きさ（通常、直径を言い、円形以外の場合は最長対角線の長さを言う）は、１〜２０ｍｍが好ましい。
１ｍｍ以下になると起毛ムラや皺が発生しやすく、２０ｍｍ以上になると立体編物としての安定性に欠け起毛ムラが発生しやすく、本来のクッション材や充填材としての目的が達成できない。
開口部の形は特に限定されないが、各方向の安定性を考えると、円形が好ましい。
【００２１】
本実施の形態の起毛立体経編地ＫＤに用いられる繊維としては、立体構造経編地に編成した場合に、その効果に支障を来さないものであれば、種類、繊維太さなど特に限定されないが、インテリア資材、寝装品、車両用内装材といった用途から勘案するとセルロース繊維、アクリル繊維、ポリアミド繊維、及びポリエステル繊維が最適である。
【００２２】
以上の説明をもとに、本発明を実施例に基づき、図面を用いて詳細に説明する。
また、これらの評価試験は下記に従った。
【００２３】
（評価方法）
１．起毛性Ａ…加工時の起毛し易さ（毛羽出し易さ）、毛羽の立毛感で効果を確認し、下記の○、△、×の三段階で評価を行った。
○…起毛１回掛けで毛羽立ちし、毛羽が立毛しているもの
△…起毛３回掛けで毛羽立ちし、毛羽が立毛していないもの
×…起毛３回掛けで毛羽立ちしないもの
【００２４】
２．起毛性Ｂ…起毛面の皺発生具合（目視、手触り）で効果を確認し、下記の○、△、×の三段階で評価を行った。
○…皺が発生しないもの
△…手で触ると皺が確認できるもの
×…目視して皺が確認できるもの
【００２５】
３．摩耗性（テーバー摩耗性）…ＪＩＳＬ１０９６摩耗強さＣ法にあるテーバー形摩耗試験機を用いて摩耗輪：ＣＳ−１０、荷重：４．９Ｎで１０００回、３０００回の摩耗を行った。
下記の○、△、×の三段階で評価を行った。
○…状態の変化がないもの
△…毛羽が倒れ、毛羽が切れているもの
×…毛羽抜けして、地組織が切れているもの
４．通気性  …ＪＩＳＬ１０９６１０１８通気性（フラジール形試験機使用）に準拠して試験を行った。
【００２６】
〔第１の実施例〕
２列針床を有するダブル・ラッシェル機（マイヤーＲＤ６ＰＬＭ２２Ｇ）を使用して、図５に示す組織により、上面部ＦＤが無地組織、下面部ＢＤが開口部Ｈを有するネット組織を形成し、同時に、これらを連結糸Ｒで連結して連結部ＡＲを形成し、膨出部Ｂが下面部ＢＤに形成された厚さ３ｍｍの立体構造経編地Ｄを得た。
この膨出部Ｂを起毛して、厚さ２ｍｍの立体構造経編地Ｄ上に３ｍｍの起毛部Ｐを有する厚さ５ｍｍの起毛立体経編地ＫＤを得た。
下面部ＢＤにおけるネット組織の開口部Ｈは５ｍｍであった。
以上の立体構造経編地Ｄの評価試験結果を表１に、起毛立体経編地ＫＤの評価試験結果を表２に示す。
【００２７】
〔第２の実施例〕
実施例１と同様の編機を使用して、図６に示す組織により、上面部ＦＤが無地組織、下面部ＢＤが開口部Ｈを有するネット組織を形成し、同時に、これらを連結糸Ｒで連結して連結部ＡＲを形成し、膨出部Ｂが上面部ＦＤに形成された厚さ３ｍｍの立体構造経編地Ｄを得た。
この膨出部Ｂを起毛して、厚さ２ｍｍの立体構造経編地Ｄ上に３ｍｍの起毛部Ｐを有する厚さ５ｍｍの起毛立体経編地ＫＤを得た。
下面部ＢＤにおけるネット組織の開口部Ｈは３ｍｍであった。
以上の立体構造経編地Ｄの評価試験結果を表１に、起毛立体経編地ＫＤの評価試験結果を表２に示す。
【００２８】
〔第３の実施例〕
実施例１と同様の編機を使用して、図７に示す組織により、上面部ＦＤ、下面部ＢＤともが開口部Ｈを有するネット組織を形成し、同時に、これらを連結糸Ｒで連結して連結部ＡＲを形成し、膨出部Ｂが上面部ＦＤに形成された厚さ３ｍｍの立体構造経編地Ｄを得た。この膨出部Ｂを起毛して、厚さ２ｍｍの立体構造経編地Ｄ上に３ｍｍの起毛部Ｐを有する厚さ５ｍｍの起毛立体経編地ＫＤを得た。ネット組織の開口部Ｈは上面部ＦＤが５ｍｍ、下面部ＢＤが２ｍｍであった。以上の立体構造経編地Ｄの評価試験結果を表１に、起毛立体経編地ＫＤの評価試験結果を表２に示す。
【００２９】
以下、比較例を示す。
〔比較例１〕
実施例１と同様の編機を使用して、図８に示す組織により、上面部ＦＤ、下面部ＢＤともが開口部Ｈのない無地組織を形成し、同時に、これらを連結糸Ｒで連結して連結部ＡＲを形成し、膨出部Ｂのない厚さ３ｍｍの立体構造経編地Ｄを得た。
この立体構造経編地Ｄの上面部ＦＤ側を起毛して、厚さ２ｍｍの立体構造経編地Ｄ上に３ｍｍの起毛部Ｐを有する厚さ５ｍｍの起毛立体経編地ＫＤを得た。
以上の立体構造経編地Ｄの評価試験結果を表１に、起毛立体経編地ＫＤの評価試験結果を表２に示す。
【００３０】
〔比較例２〕
実施例１と同様の編機を使用して、図９に示す組織により、上面部ＦＤが無地組織、下面部ＢＤが開口部Ｈを有するネット組織を形成し、同時に、これらを３３ｄｔｅｘのモノフィラメント糸である連結糸Ｒで連結して連結部ＡＲを形成し、膨出部のない厚さ３ｍｍの立体構造経編地Ｄを得た。
この下面部ＢＤ側を起毛して、厚さ３ｍｍの立体構造経編地Ｄ上に０．５ｍｍの起毛部Ｐを有する厚さ３．５ｍｍの起毛立体経編地ＫＤを得た。
下面部ＢＤにおけるネット組織の開口部Ｈは５ｍｍであった。
以上の立体構造経編地の評価試験結果を表１に、起毛立体経編地ＫＤの評価試験結果を表２に示す。
【００３１】
以上の実施例、並びに比較例は下記の特徴を有する。
１．実施例１においては連結糸Ｒと下面部ＢＤを編成する全ての糸のオーバーラップ方向が逆になるので下面部ＢＤに膨出部Ｂが形成され、ネット組織である下面部ＢＤ側に起毛がほどこされている。
【００３２】
２．実施例２においては、連結糸Ｒと上面部ＦＤを編成する全ての糸のオーバーラップ方向が逆になるので上面部ＦＤに膨出部が形成され、無地組織である上面部ＦＤ側に起毛が施される。
【００３３】
３．実施例３においては、連結糸Ｒと上面部ＦＤを編成する全ての糸のオーバーラップ方向が逆になるので上面部ＦＤに膨出部が形成され、上面部ＦＤ側のネット組織に起毛が施される。
【００３４】
４．比較例１は、上面部ＦＤ、下面部ＢＤいずれも無地組織である。
また、連結糸Ｒと上面部ＦＤを編成する片方の糸のオーバーラップ方向を逆にし、もう片方の糸のオーバーラップ方向を同一にすることで、膨出部Ｂは形成されず、上面部ＦＤ側の地組織に起毛が施される。
【００３５】
５．比較例２は、上面部ＦＤが無地組織、下面部ＢＤがネット組織である。また、連結糸Ｒと上面部ＦＤを編成する片方の糸のオーバーラップ方向を逆にし、もう片方の糸のオーバーラップ方向を同一にすることで、膨出部Ｂは形成されず、下面部ＢＤ側の地組織に起毛が施される。
【００３６】
以上の特徴と評価試験結果を比較すると、地組織部Ｇを編成する全ての糸が連結糸Ｒとオーバーラップ方向が逆になる実施例１，２，３の場合は、いずれも起毛性、摩耗性にすぐれ、オーバーラップ方向が一致する糸がある比較例１，２の場合は、起毛性、摩耗性に劣り、特にモノフィラメント糸を使用した比較例２の場合は起毛性、摩耗性に劣る。
【００３７】
【発明の効果】
本起毛立体経編地ＫＤにおいて、地組織部Ｇ上に膨出部Ｂが形成されている場合には、起毛する際、地組織部Ｇが損傷することがないので起毛立体経編地ＫＤ自体の強度が低下することがない。
【００３８】
本起毛立体経編地ＫＤにおいて、地組織部Ｇ上に膨出部Ｂが形成されている場合には、起毛性が良いと同時に起毛回数が少なくて済み、快適で、しかも経済的である。
【００３９】
本起毛立体経編地ＫＤにおいて、上面部ＦＤ、下面部ＢＤの両方、或いは一方がネット組織である場合には、起毛の際、地組織部Ｇのニードルループに作用する収縮力ＳＴが、開口部Ｈにより解消され、編地自体の皺の発生が抑えられ、起毛斑が生じない。また、通気性が改善される効果が得られる。
【００４０】
【表１】
0004351375.tif 000002
【００４１】
【表２】
0004351375.tif 000003
【図面の簡単な説明】
【図１】図１は、本発明の編成に用いるダブル・ラッシェル機の概要図であり、（Ａ）は編成部の要部を示し、（Ｂ）はオーバーラップの説明図である。
【図２】図２は、起毛立体経編地の１組織図である。
【図３】図３は、ネット組織側を起毛した起毛立体経編地の断面図である。
【図４】図４は、上面部、下面部ともに無地組織である立体構造経編地の起毛状態図である。
【図５】図５は、実施例１の組織図である。
【図６】図６は、実施例２の組織図である。
【図７】図７は、実施例３の組織図である。
【図８】図８は、比較例１の組織図である。
【図９】図９は、比較例２の組織図である。
【符号の説明】
Ｗ…ダブル・ラッシェル機
Ｋ…編成糸
Ｇ１１，Ｇ１２，Ｇ２１１，Ｇ２２…地糸
Ｄ…立体構造経編地
Ｇ…地組織部
Ｒ…連結糸
ＦＤ…上面部
ＢＤ…下面部
ＡＲ…連結部
Ｌ１，Ｌ２，Ｌ３，Ｌ４，Ｌ５…ガイド
ＦＮ…フロントニードル
ＢＮ…バックニードル
Ｎ…ニードル
ＵＴ…引張力
ＳＴ…収縮力
Ｂ…膨出部
Ｐ…起毛部
ＫＤ…起毛立体経編地
【図１】
0004351375.tif 000004
【図２】
0004351375.tif 000005
【図３】
0004351375.tif 000006
【図４】
0004351375.tif 000007
【図５】
0004351375.tif 000008
【図６】
0004351375.tif 000009
【図７】
0004351375.tif 000010
【図８】
0004351375.tif 000011
【図９】
0004351375.tif 000012